(57)【要約】      （修正有）【課題】送付物が本物であることを容易に確認することができる、画像認識およびＡＲ活用による認証方法を提供する。【解決手段】送付物の認証方法は、外包の符号を読み取るステップと、中身の記号に対する画像認識処理をするステップと、読み取られた符号に関するデータが符号の所定のデータに一致し、画像認識処理をされた記号に関するデータが記号の所定のデータに一致すると、送付物が本物であることを決定するステップとを備える。【選択図】図１
2020204949.tif 000002
【特許請求の範囲】
【請求項１】
カメラを有する携帯型情報端末により実行される、符号が印字された外包と記号が印字された中身とを有する送付物の認証方法であって、前記符号および前記記号はそれぞれの所定のデータに関連付けられており、前記認証方法は、
外包の符号を読み取るステップと、
中身の記号に対する画像認識処理をするステップと、
前記読み取られた符号に関するデータが前記符号の所定のデータに一致し、および前記画像認識処理をされた記号に関するデータが前記記号の所定のデータに一致すると、送付物が本物であることを決定するステップと
を備えることを特徴とする認証方法。
【請求項２】
前記送付物が本物であることを決定するステップは、ＡＲを使用して前記送付物が本物であることを表示するステップを含むことを特徴とする請求項１に記載の認証方法。
【請求項３】
前記読み取られた符号に関するデータが前記符号の所定のデータに一致し、および前記画像認識処理をされた記号に関するデータが前記記号の所定のデータに一致すると、送付物が本物であることを決定する前に、前記それぞれの所定のデータを含むファイルをサーバーからダウンロードするステップをさらに備えることを特徴とする請求項１または２に記載の認証方法。
【請求項４】
前記読み取られた符号に関するデータおよび前記画像認識処理をされた記号に関するデータをサーバーに送信して、前記読み取られた符号に関するデータが前記符号の所定のデータに一致し、および前記画像認識処理をされた記号に関するデータが前記記号の所定のデータに一致するかどうかを前記サーバーに問い合わせるステップをさらに備えることを特徴とする請求項１または２に記載の認証方法。
【請求項５】
符号が印字された外包と記号が印字された中身とを有する送付物に対する、カメラを有する認証装置であって、前記符号および前記記号はそれぞれの所定のデータに関連付けられており、前記認証装置は、
外包の符号を読み取る手段と、
中身の記号に対する画像認識処理をする手段と、
前記読み取られた符号に関するデータが前記符号の所定のデータに一致し、および前記画像認識処理をされた記号に関するデータが前記記号の所定のデータに一致すると、送付物が本物であることを決定する手段と
を備えたことを特徴とする認証装置。
【請求項６】
前記送付物が本物であることを決定する手段は、ＡＲを使用して前記送付物が本物であることを表示する手段を含むことを特徴とする請求項５に記載の認証装置。
【請求項７】
前記読み取られた符号に関するデータが前記符号の所定のデータに一致し、および前記画像認識処理をされた記号に関するデータが前記記号の所定のデータに一致すると、送付物が本物であることを決定する前に、前記それぞれの所定のデータを含むファイルをサーバーからダウンロードする手段をさらに備えたことを特徴とする請求項５または６に記載の認証装置。
【請求項８】
前記読み取られた符号に関するデータおよび前記画像認識処理をされた記号に関するデータをサーバーに送信して、前記読み取られた符号に関するデータが前記符号の所定のデータに一致し、および前記画像認識処理をされた記号に関するデータが前記記号の所定のデータに一致するかどうかを前記サーバーに問い合わせる手段をさらに備えたことを特徴とする請求項５または６に記載の認証装置。
【請求項９】
カメラを有する携帯型情報端末により実行される、符号が印字された外包と記号が印字された中身とを有する送付物の認証方法であって、前記符号、前記記号および物体はそれぞれの所定のデータに関連付けられており、前記認証方法は、
外包の符号を読み取るステップと、
中身の記号に対する画像認識処理をするステップと、
前記読み取られた符号に関するデータが前記符号の所定のデータに一致し、および前記画像認識処理をされた記号に関するデータが前記記号の所定のデータに一致すると、前記物体の所定のデータに対応する物体を指定するステップと、
物体および中身の記号に対する画像認識処理をするステップと、
前記画像認識処理をされた物体および記号に関するデータが前記物体および記号のそれぞれの所定のデータに一致すると、送付物が本物であることを決定するステップと
を備えることを特徴とする認証方法。
【請求項１０】
前記送付物が本物であることを決定するステップは、ＡＲを使用して前記送付物が本物であることを表示するステップを含むことを特徴とする請求項９に記載の認証方法。
【請求項１１】
前記読み取られた符号に関するデータが前記符号の所定のデータに一致し、および前記画像認識処理をされた記号に関するデータが前記記号の所定のデータに一致すると、前記物体の所定のデータに対応する物体を指定する前に、前記符号、記号および物体のそれぞれの所定のデータを含むファイルをサーバーからダウンロードするステップをさらに備えることを特徴とする請求項９または１０に記載の認証方法。
【請求項１２】
前記読み取られた符号に関するデータおよび前記画像認識処理をされた記号に関するデータをサーバーに送信して、前記読み取られた符号に関するデータが前記符号の所定のデータに一致し、および前記画像認識処理をされた記号に関するデータが前記記号の所定のデータに一致するかどうかを前記サーバーに問い合わせるステップをさらに備えることを特徴とする請求項９または１０に記載の認証方法。
【請求項１３】
前記物体の所定のデータに対応する物体を指定するステップは、指定する前記物体をサーバーに問い合わせるステップを含むことを特徴とする請求項９、１０または１２に記載の認証方法。
【請求項１４】
前記画像認識処理をされた物体および記号に関するデータをサーバーに送信して、前記画像認識処理をされた物体および記号に関するデータが前記物体および記号のそれぞれの所定のデータに一致するかどうかを前記サーバーに問い合わせるステップをさらに備えることを特徴とする請求項９、１０、１２または１３に記載の認証方法。
【請求項１５】
符号が印字された外包と記号が印字された中身とを有する送付物に対する、カメラを有する認証装置であって、前記符号、前記記号および物体はそれぞれの所定のデータに関連付けられており、前記認証装置は、
外包の符号を読み取る手段と、
中身の記号に対する画像認識処理をする手段と、
前記読み取られた符号に関するデータが前記符号の所定のデータに一致し、および前記画像認識処理をされた記号に関するデータが前記記号の所定のデータに一致すると、前記物体の所定のデータに対応する物体を指定する手段と、
物体および前記中身の記号に対する画像認識処理をする手段と、
前記画像認識処理をされた物体および記号に関するデータが前記物体および記号のそれぞれの所定のデータに一致すると、送付物が本物であることを決定する手段と
を備えたことを特徴とする認証装置。
【請求項１６】
前記送付物が本物であることを決定する手段は、ＡＲを使用して前記送付物が本物であることを表示する手段を含むことを特徴とする請求項１５に記載の認証装置。
【請求項１７】
前記読み取られた符号に関するデータが前記符号の所定のデータに一致し、および前記画像認識処理をされた記号に関するデータが前記記号の所定のデータに一致すると、前記物体の所定のデータに対応する物体を指定する前に、前記符号、記号および物体のそれぞれの所定のデータを含むファイルをサーバーからダウンロードする手段をさらに備えたことを特徴とする請求項１５または１６に記載の認証装置。
【請求項１８】
前記読み取られた符号に関するデータおよび前記画像認識処理をされた記号に関するデータをサーバーに送信して、前記読み取られた符号に関するデータが前記符号の所定のデータに一致し、および前記画像認識処理をされた記号に関するデータが前記記号の所定のデータに一致するかどうかを前記サーバーに問い合わせる手段をさらに備えたことを特徴とする請求項１５または１６に記載の認証装置。
【請求項１９】
前記画像認識処理をされた物体および記号に関するデータをサーバーに送信して、前記画像認識処理をされた物体および記号に関するデータが前記物体および記号のそれぞれの所定のデータに一致するかどうかを前記サーバーに問い合わせる手段をさらに備えたことを特徴とする請求項１５、１６または１８に記載の認証装置。
【請求項２０】
コンピューティングデバイスに、請求項１、２、３、４、９、１０、１１、１２、１３または１４のいずれか一項に記載の認証方法の各ステップを実行させるためのプログラム。
【発明の詳細な説明】
【技術分野】
【０００１】
本発明は、認証方法に関し、より詳細には、コンピューティングデバイスにより実行される、画像認識およびＡＲ活用による、送付物の認証方法に関する。
【背景技術】
【０００２】
従来、企業は、商品やサービスなどを広く世間に知らせるために、ダイレクトメールとして郵便やメール便などを、およびチラシやビラなどのポスティングを利用している。さらに、顧客に対して、重要な事実を通知する書面やサービスの手続きを依頼する文書などを送付するのにも、郵便やメール便などを利用している。
【０００３】
今日、特殊詐欺などにより、偽物のダイレクトメールや郵便物などの送付物が送付され、受取人が送付された偽物の送付物を本物と間違えることが増加している。ひとたび間違えれば、意図しない相手に、個人情報が伝わってしまったり、キャッシュカードやクレジットカードなどが渡ってしまったりする危険性が非常に高い。
【０００４】
海外では、出所の正しさを解読するシステムとして、暗号化技術を適用した鍵フェーズ・インディケータを用いて、郵便物に貼り付けられた郵便料金支払証を検査する方法が知られている（例えば、特許文献１（第３、４頁、第１図）参照）。
【先行技術文献】
【特許文献】
【０００５】
【特許文献１】特許第４１３３３２１号公報
【発明の概要】
【発明が解決しようとする課題】
【０００６】
しかしながら、送付物の受取人は、受け取った送付物が本物であるかどうかを確認するには、送付元に問い合わせるか独自に情報収集をするかなどをしなければならず、とても手間がかかり真偽も不確かであるという問題があった。
【０００７】
本発明は、このような問題に鑑みてなされたもので、その目的とするところは、受取人により受け取られた送付物が本物であることを容易に確認することができる認証方法を提供することにある。
【課題を解決するための手段】
【０００８】
このような目的を達成するために、本発明の一態様は、カメラを有する携帯型情報端末により実行される、符号が印字された外包と記号が印字された中身とを有する送付物の認証方法であって、符号および記号はそれぞれの所定のデータに関連付けられており、外包の符号を読み取るステップと、中身の記号に対する画像認識処理をするステップと、読み取られた符号に関するデータが符号の所定のデータに一致し、および画像認識処理をされた記号に関するデータが記号の所定のデータに一致すると送付物が本物であることを決定するステップとを備える。
【０００９】
本発明の別の態様は、符号が印字された外包と記号が印字された中身とを有する送付物に対する、カメラを有する認証装置であって、符号および記号はそれぞれの所定のデータに関連付けられており、外包の符号を読み取る手段と、中身の記号に対する画像認識処理をする手段と、読み取られた符号に関するデータが符号の所定のデータに一致し、および画像認識処理をされた記号に関するデータが記号の所定のデータに一致すると、送付物が本物であることを決定する手段とを備える。
【００１０】
さらに、本発明の別の態様は、カメラを有する携帯型情報端末により実行される、符号が印字された外包と記号が印字された中身とを有する送付物の認証方法であって、符号、記号および物体はそれぞれの所定のデータに関連付けられており、外包の符号を読み取るステップと、中身の記号に対する画像認識処理をするステップと、読み取られた符号に関するデータが符号の所定のデータに一致し、および画像認識処理をされた記号に関するデータが記号の所定のデータに一致すると、物体の所定のデータに対応する物体を指定するステップと、物体および中身の記号に対する画像認識処理をするステップと、画像認識処理をされた物体および記号に関するデータが物体および記号のそれぞれの所定のデータに一致すると、送付物が本物であることを決定するステップとを備える。
【００１１】
さらにまた、本発明の別の態様は、符号が印字された外包と記号が印字された中身とを有する送付物に対する、カメラを有する認証装置であって、符号、記号および物体はそれぞれの所定のデータに関連付けられており、外包の符号を読み取る手段と、中身の記号に対する画像認識処理をする手段と、読み取られた符号に関するデータが符号の所定のデータに一致し、および画像認識処理をされた記号に関するデータが記号の所定のデータに一致すると、物体の所定のデータに対応する物体を指定する手段と、物体および中身の記号に対する画像認識処理をする手段と、画像認識処理をされた物体および記号に関するデータが物体および記号のそれぞれの所定のデータに一致すると、送付物が本物であることを決定する手段とを備える。
【発明の効果】
【００１２】
本発明によれば、受取人に対して受け取られた送付物が本物であることを容易に確認させることが可能となる。
【図面の簡単な説明】
【００１３】
【図１】本発明の一実施形態にかかる認証に用いるシステムおよび環境を示す構成図である。
【図２】本発明の一実施形態にかかる認証装置を示すブロック図である。
【図３】本発明の一実施形態にかかる認証方法を示すフローチャートである。
【図４】本発明の一実施形態にかかる認証方法を示すフローチャートである。
【発明を実施するための形態】
【００１４】
以下、図面を参照しながら本発明の実施形態について詳細に説明する。
【００１５】
図１は、本発明の一実施形態にかかる認証に用いるシステムおよび環境を示す構成図である。認証方法を実現するアプリケーションソフトウェアを管理する、コンピューターシステムであるサーバー１０１と、認証方法が実装される、コンピューティングデバイスであり携帯型情報端末であるスマートフォン１０２とが通信回線であるインターネット１０３を通じて接続されている。認証方法において使用される、符号である二次元コード１２１が印字された、受取人が受け取った送付物の外包である封筒１１１と、認証方法において使用される、記号である星印１２２が印字された、受取人が受け取った送付物の中身である文書１１２と、認証方法において使用される、物体である十円硬貨１２３とがある。
【００１６】
サーバー１０１は、認証方法が実装されるスマートフォン１０２にインストールされるアプリケーションソフトウェアと、認証方法において必要なデータ、例えば、アプリケーションソフトウェアのバージョン、認証方法において使用される符号、記号、および物体の組合せなどに関するデータとを格納している。
【００１７】
スマートフォン１０２は、認証方法を実現するアプリケーションソフトウェアが、サーバー１０１からダウンロードされ、インストールされる。送付物の受取人がスマートフォン１０２を使用することによって、図３、４を参照して後述する、認証方法に従って、受取人により受け取られた送付物が本物であることが認証される。
【００１８】
二次元コード１２１、星印１２２、および十円硬貨１２３の組合せは、スマートフォン１０２にインストールされたアプリケーションソフトウェアとともに、図３、４を参照して後述する、認証方法において、受取人により使用される。認証方法において使用される符号、記号、および物体の組合せは、符号が決まると対応する記号および物体が一意に定まり、記号が決まると対応する物体および符号が一意に定まり、物体が決まると対応する符号および記号が一意に定まる。本実施形態において、符号および記号の組合せが正しいことを確認することによって、送付物が本物であることを認証する。
【００１９】
認証方法において使用される符号、記号、および物体の組合せに関するデータは、認証方法を実現するアプリケーションソフトウェアとともに、サーバー１０１からスマートフォン１０２にダウンロードされてもよいし、認証方法を実現するアプリケーションソフトウェアのダウンロードとは別にして、例えば、認証方法を実現するアプリケーションソフトウェアが受取人により起動されるたび毎に、サーバー１０１からスマートフォン１０２にダウンロードされてもよい。ダウンロードされる符号、記号、および物体の組合せに関するデータは、ファイルに含まれてダウンロードされてもよい。認証方法において使用される符号、記号、および物体の組合せに関するデータを、一定の期間、スマートフォン１０２に保持し、一定の期間が経過すると変更することができる。
【００２０】
ここで、封筒１１１は、例えば、洋形長３号、角型２号など、どのような大きさであってもよく、例えば、再生紙、熱可塑性樹脂など、どのような材料であってもよく、符号を印字することができ、送付物を外包することができれば何でもよい。文書１１２は、例えば、契約書、ワンタイムパスワードカードなどの重要書類やチラシなどの印刷物のような紙類だけでなく、例えば、商品、景品などの立体的なものであってもよく、記号を印字することができ、送付をすることができるものあれば何でもよい。
【００２１】
また、二次元コード１２１は、例えば、スタック型二次元コード、マトリックス型二次元コード、またはバーコードなど、スマートフォン１０２が読み取ることができる符号であれば何でもよい。星印１２２は、例えば、ひらがななどの文字や、図形などのしるしなど、画像認識可能な記号であれば何でもよい。十円硬貨１２３は、スプーンなどの身の回りの物、ヒトの指などの生物の一部など、画像認識可能な物体であれば何でもよい。
【００２２】
図２は、本発明の一実施形態にかかる認証装置を示すブロック図である。携帯型情報端末であるスマートフォン１０２おいて、各ブロックを制御するＣＰＵ（中央処理装置）２０１と、画像処理および画面出力処理をするＧＰＵ（グラフィックスプロセッサー）２０２と、画面表示装置である液晶パネル２０３と、入力装置であるタッチパネル２０４と、符号、記号、および物体を読み取るカメラ２０５と、プログラムおよびデータを記憶するメインメモリー２０６と、メインメモリー２０６からのデータなどを一時的に保管するフラッシュメモリー２０７と、外部とデータを送受信する通信モジュール２０８とが、バス２０９を介して相互に接続されている。
【００２３】
ＣＰＵ２０１は、例えば、タッチパネル２０４から入力されたデータ、カメラ２０５により読み取られたデータなどの演算を、例えば、図３、４を参照して後述する、認証方法を実現するアプリケーションソフトウェアのプログラムに基づいて実行する。
【００２４】
ＧＰＵ２０２は、ＣＰＵ２０１からの描画データの演算を実行して、認証方法におけるＡＲの演出に必要な、頂点処理、ラスタライズ処理、ピクセル処理などを実行する。
【００２５】
本明細書において、認証装置は、ＣＰＵ２０１とＧＰＵ２０２とに分離して実装しているが、ＣＰＵ２０１の機能がＧＰＵ２０２の機能を含むことにより、ＣＰＵ２０１のみでも実装することができる。
【００２６】
このような構成により、詳細な方法については以下に説明するが、受取人に対して受け取られた送付物が本物であることを容易に確認させることができる。
【００２７】
図３、４は、本発明の一実施形態にかかる認証方法を示すフローチャートである。送付物の受取人により、スマートフォン１０２において、認証方法を実現するアプリケーションソフトウェアが起動されて、本実施形態の処理が開始する。
【００２８】
ステップＳ３０１において、受取人によりスマートフォン１０２上に起動されたアプリケーションソフトウェアのバージョンが最新であるかどうかの決定処理を、ＣＰＵ２０１が実行する。決定されたバージョンが最新であればステップＳ３０２に、最新でなければステップＳ３１１に、処理が進む。ステップＳ３１１では、起動されたアプリケーションソフトウェアのアップデートを、ＣＰＵ２０１が実行して、ステップＳ３０１に処理が戻る。
【００２９】
ステップＳ３０２において、決定されたバージョンが最新であるアプリケーションソフトウェアが受取人によりログインされているかどうかの決定処理を、ＣＰＵ２０１が実行する。受取人によりログインされていればステップＳ３０３に、ログインされていなければステップＳ３１２に、処理が進む。ステップＳ３１２では、起動されたアプリケーションソフトウェアのログイン画面を表示するよう、液晶パネル２０３にＣＰＵ２０１が指示して、ステップＳ３０２に処理が戻る。
【００３０】
ステップＳ３０３において、決定された受取人によりログインされているアプリケーションソフトウェアの操作画面を表示するよう、液晶パネル２０３にＣＰＵ２０１が指示する。表示された操作画面の中に、受取人により受け取られた送付物が本物であることを確認するためのアイコンが表示される。ここで、アイコンは、例えば、メニューバーなど、受取人により操作可能な項目が表現されて、受取人がＣＰＵ２０１に指示を入力することができるものであれば何でもよい。
【００３１】
ステップＳ３０４において、表示されたアイコンが送付物の受取人によりタッチされると、タッチパネル２０４に入力された、送付物の認証要求に対するデータを、ＣＰＵ２０１が受信する。
【００３２】
ステップＳ３０５において、受信されたデータに応じて、ＣＰＵ２０１が指示することによって、カメラ２０５が起動される。
【００３３】
ステップＳ３０６において、受取人により、起動されたカメラ２０５が使用され、送付物の封筒１１１に印字された二次元コード１２１が捉えられると、カメラ２０５により読み取られた二次元コード１２１のデータを、ＣＰＵ２０１が受信する。
【００３４】
ステップＳ３０７において、受取人により、起動されたカメラ２０５が使用され、送付物の文書１１２に印字された星印１２２が捉えられると、カメラ２０５により読み取られた星印１２２のデータに対して、画像認識処理をＣＰＵ２０１が実行する。
【００３５】
ステップＳ４０１において、ステップＳ３０６にて読み取られた二次元コード１２１のデータと、ステップＳ３０７にて画像認識処理が実行された星印１２２のデータとの組合せが正しいかどうかの決定処理を、ＣＰＵ２０１が実行する。詳細には、ＣＰＵ２０１は、読み取られた二次元コード１２１のデータがスマートフォン１０２内に保持している符号のデータに一致し、画像認識処理が実行された星印１２２のデータがスマートフォン１０２内に保持している記号のデータに一致すれば、二次元コード１２１と星印１２２との組合せが正しいと決定する。
【００３６】
決定された二次元コード１２１と星印１２２との組合せが正しければ、送付物が本物であると認証して、ステップＳ４０２に、正しくなければステップＳ４１１に、処理が進む。ステップＳ４１１では、警告メッセージを表示するよう、液晶パネル２０３にＣＰＵ２０１が指示して、ステップＳ３０３に処理が戻る。
【００３７】
ステップＳ４０２において、ステップＳ３０６にて読み取られた二次元コード１２１のデータ、またはステップＳ３０７にて画像認識処理が実行された星印１２２のデータに基づいて、十円硬貨１２３を、ＣＰＵ２０１が指定する。詳細には、ＣＰＵ２０１は、スマートフォン１０２内に保持している符号、記号、および物体の組合せのデータに基づいて、二次元コード１２１または星印１２２に対応する十円硬貨１２３を指定する。指定された十円硬貨１２３と、送付物の文書１１２に印字された星印１２２とを、受取人がスマートフォン１０２を介して見るという確認の仕方を表示するよう、液晶パネル２０３にＣＰＵ２０１が指示する。
【００３８】
ステップＳ４０３において、受取人により、起動されたカメラ２０５が使用され、表示された確認の仕方が実践されると、十円硬貨１２３と、送付物の文書１１２に印字された星印１２２とに対して、ＣＰＵ２０１が画像認識処理を実行して、画像認識処理が実行された十円硬貨１２３のデータおよび星印１２２のデータの組合せが正しいかどうかの決定処理を実行する。詳細には、ＣＰＵ２０１は、画像認識処理を実行された十円硬貨１２３および星印１２２のデータがスマートフォン１０２内に保持している物体および記号のデータに一致すれば、十円硬貨１２３と星印１２２との組合せが正しいと決定する。
【００３９】
決定された十円硬貨１２３と星印１２２との組合せが正しければステップＳ４０４に、正しくなければステップＳ４１２に、処理が進む。ステップＳ４１２では、警告メッセージを表示するよう、液晶パネル２０３にＣＰＵ２０１が指示して、ステップＳ４０２に処理が戻る。
【００４０】
ステップＳ４０４において、受取人により、起動されたカメラ２０５が使用され、表示された確認の仕方が実践されていると、ＡＲモードを起動するよう、ＧＰＵ２０２にＣＰＵ２０１が指示する。
【００４１】
ステップＳ４０５において、ＡＲの演出の処理を、ＧＰＵ２０２が実行する。受取人が十円硬貨１２３と送付物の文書１１２に印字された星印１２２とをスマートフォン１０２を介して見ていると、十円硬貨１２３および星印１２２に対して、ＧＰＵ２０２が画像認識処理を実行して、送付物が本物であることを示すメッセージとともに、例えば、送付元の企業名、ロゴマーク、マスコットキャラクターなどの文字、画像、映像などを、受取人が見ている対象に重ね合わせて表示するよう、液晶パネル２０３にＧＰＵ２０２が指示する。
【００４２】
実行されたＡＲの演出の処理によって送付物が本物であることを確認した受取人により、認証方法を実現するアプリケーションソフトウェアが終了されて、本実施形態の処理が終了する。
【００４３】
以上の方法の各ステップを実行するための処理を、スマートフォン１０２のメインメモリー２０６に記憶されるプログラムに記述することができる。また、スマートフォン１０２のメインメモリー２０６に記憶されるプログラムを、例えば、ハードディスク、ＵＳＢメモリー、ＣＤなどのコンピューター読み取り可能な記録媒体に記録することができる。
【００４４】
本明細書において、正常処理は、ステップＳ４０１にて符号および記号の組合せが正しいことを確認した後に、ステップＳ４０２にて受取人がスマートフォン１０２を介して見るという確認の仕方を表示して、ステップＳ４０３にて物体および記号の組合せが正しいことを確認した後に、ステップＳ４０４にてＡＲモードを起動した。別の実施形態において、正常処理は、ステップＳ４０２、Ｓ４０３を介さず、ステップＳ４０１の後に直にステップＳ４０４に進み、受取人が、送付物の二次元コード１２１および星印１２２を、スマートフォン１０２を介して見ていると、ＡＲの演出の処理によって、送付物が本物であることを確認することができる。また、代替えとして、受取人は、スマートフォン１０２を介して単に星印１２２のみを見ているだけでも、ＡＲの演出の処理によって、星印１２２が印字された、送付物の中身である文書１１２が本物であることを確認することができる。
【００４５】
言い換えると、ステップＳ４０１において符号および記号の組合せが正しいことさえ確認できれば、送付物が本物であるというＡＲの演出の処理を実行してもよいし、ステップＳ４０３において物体および記号の組合せが正しいことが確認できてから、送付物が本物であるというＡＲの演出の処理を実行してもよい。
【００４６】
本明細書において、符号、記号、および物体の組合せに関するデータは、スマートフォン１０２が保持した。しかしながら、符号、記号、および物体の組合せに関するデータをスマートフォン１０２が保持することなく、ステップＳ４０１において、符号および記号の組合せが正しいことを確認するのに、読み取られた符号のデータと画像認識処理を実行された記号のデータをサーバー１０１に送信して、サーバー１０１に符号および記号の組合せが正しいことを問い合わせてもよい。また、ステップＳ４０３において、物体および記号の組合せが正しいことを確認するのに、画像認識処理を実行された物体および記号のデータをサーバー１０１に送信して、サーバー１０１に物体および記号の組合せが正しいことを問い合わせてもよい。ステップＳ４０２において、指定する物体をサーバー１０１に問い合わせてもよい。
【００４７】
本明細書において、認証方法を実現するアプリケーションソフトウェアに用いるデータの組合せは、符号、記号、および物体の３つの要素を用いた。別の実施形態において、認証方法を実現するアプリケーションソフトウェアに用いるデータの組合せは、例えば、符号、記号、物体、および受取人の氏名の４つの要素であったり、符号、記号、物体および有効期限の４つの要素であったり、符号、記号、物体、受取人の氏名、および有効期限の５つの要素であったりしてもよい。
【００４８】
ここで、有効期限は、送付物の有効期限であってもよいし、送付物の中身の有効期限であってもよいし、データの有効期限であってもよい。受取人の氏名は、例えば、認証方法を実現するアプリケーションソフトウェアにログインされたログイン名に対応するかどうかを確認するのに使用することができる。有効期限は、例えば、認証方法を実現するアプリケーションソフトウェアが起動された日時が適当であるかどうかを確認するのに使用することができる。必要に応じて、種々の要素を用いて、認証方法における安全性を高めることができる。
【００４９】
本明細書において、認証方法を実現するアプリケーションソフトウェアに用いる符号、記号、および物体のデータは、３つのデータを直接的に組み合わせたが、必ずしも、直接的に組み合わせる必要はない。例えば、別の実施形態において、二次元コード１２１をデータＡに、星印１２２をデータＢにそれぞれ対応させておき、データＡとデータＢとは特に組合せとはしない。そして、ステップＳ４０１、Ｓ４０２において、ＣＰＵ２０１は、読み取られた二次元コード１２１のデータがデータＡに一致し、画像認識処理が実行された星印１２２のデータがデータＢに一致すれば、送付物が本物であると認証することができる。
【００５０】
本明細書において、正常処理は、ステップＳ３０２にてアプリケーションソフトウェアが受取人によりログインされていることを確認した後に、ステップＳ３０３にて操作画面を表示して、ステップＳ３０４にて送付物の認証要求に対する入力を受信して、ステップＳ３０５にてカメラ２０５を起動した。別の実施形態において、正常処理は、ステップＳ３０３、Ｓ３０４を介さず、ステップＳ３０２の後に直にステップＳ３０５に進むことができる。
【００５１】
別の実施形態において、認証方法を実現するアプリケーションソフトウェアは、符号を読み取るアプリケーションソフトウェア、例えば、カメラアプリなどと連携させることができる。
【００５２】
認証方法を実現するアプリケーションソフトウェアと符号を読み取るアプリケーションソフトウェアとを連携させれば、受取人によりカメラ２０５が起動されて、送付物の封筒１１１に印字された二次元コード１２１が捉えられると、符号を読み取るアプリケーションソフトウェアの処理によって、二次元コード１２１が読み取られ、読み取られた二次元コード１２１に対応する、認証方法を実現するアプリケーションソフトウェアを起動することができる。処理は、ステップＳ３０１、Ｓ３０２と進んだ後に、ＣＰＵ２０１が指示することによってカメラ２０５が起動され、次に、ステップＳ３０６に進み、ステップＳ３０７以降は、上述した処理と同様とすることができる。受取人は、認証方法を実現するアプリケーションソフトウェアを手動により起動することなく、認証方法を利用することができる。
【００５３】
また、ステップＳ３０６の次に、メッセージを表示するよう、液晶パネル２０３にＣＰＵ２０１が指示して、次に、ステップＳ３０７に進むことができる。メッセージは、ステップＳ３０６にて読み取られた二次元コード１２１のデータに基づく十円硬貨１２３を、受取人に用意させる旨を含んでおく。すると、受取人がスマートフォン１０２を介して十円硬貨１２３と星印１２２とを見ることができれば、ステップＳ４０２を実行しなくてよい。
【００５４】
さらにまた、予め十円硬貨１２３を用意するよう、受取人に事前に通知しておく。例えば、認証方法を実現するアプリケーションソフトウェアを受取人が手動により起動したときに、予め十円硬貨１２３を用意するよう、事前に通知しておく。すると、上述したメッセージを表示するよう、液晶パネル２０３にＣＰＵ２０１が指示することを除外することができる。
【００５５】
本明細書において、ステップＳ３０２は、ステップＳ３０１の後に実行した。別の実施形態において、ステップＳ３０２は、ステップＳ３０６の後に実行してもよいし、必要に応じて、どのタイミングでも実行することができる。
【００５６】
上述した種々の実施形態において、認証方法を実現するアプリケーションソフトウェアを受取人が手動により起動したときに、例えば、「来週、お手元に郵便物が届きます」などの予告メッセージを表示しておく。すると、表示された予告メッセージを見た受取人は、実際に郵送物が届いたときに安心して、上述した認証方法を即座に利用することができる。
【００５７】
本実施形態によれば、受取人に物体を用いた確認の仕方を実践させることによって、受取人は、送付物が本物であることを、単に送付物に含まれる符号および記号だけを使って確認するよりも、より効果的に体感することができる。
【００５８】
本実施形態によれば、ＡＲ技術を利用することによって、受取人は、より強化された認識において、送付物が本物であることを認識して安心感を得ることができる。
【符号の説明】
【００５９】
１０１  サーバー
１０２  スマートフォン
１０３  インターネット
１１１  封筒
１１２  文書
１２１  二次元コード
１２２  星印
１２３  十円硬貨
２０１  ＣＰＵ
２０２  ＧＰＵ
２０３  液晶パネル
２０４  タッチパネル
２０５  カメラ
２０６  メインメモリー
２０７  フラッシュメモリー
２０８  通信モジュール
２０９  バス
【図１】
2020204949.tif 000003
【図２】
2020204949.tif 000004
【図３】
2020204949.tif 000005
【図４】
2020204949.tif 000006
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
カメラを有する携帯型情報端末により実行される、符号が印字された外包と記号が印字された中身とを有する送付物の認証方法であって、前記符号および前記記号はそれぞれの所定のデータに関連付けられており、前記認証方法は、
外包の符号を読み取るステップと、
中身の記号に対する画像認識処理をするステップと、
前記読み取られた符号に関するデータが前記符号の所定のデータに一致し、および前記画像認識処理をされた記号に関するデータが前記記号の所定のデータに一致すると、送付物が本物であることを決定するステップと
を備えることを特徴とする認証方法。
【請求項２】
前記送付物が本物であることを決定するステップは、ＡＲを使用して前記送付物が本物であることを表示するステップを含むことを特徴とする請求項１に記載の認証方法。
【請求項３】
前記読み取られた符号に関するデータが前記符号の所定のデータに一致し、および前記画像認識処理をされた記号に関するデータが前記記号の所定のデータに一致すると、送付物が本物であることを決定する前に、前記それぞれの所定のデータを含むファイルをサーバーからダウンロードするステップをさらに備えることを特徴とする請求項１または２に記載の認証方法。
【請求項４】
符号が印字された外包と記号が印字された中身とを有する送付物に対する、カメラを有する認証装置であって、前記符号および前記記号はそれぞれの所定のデータに関連付けられており、前記認証装置は、
外包の符号を読み取る手段と、
中身の記号に対する画像認識処理をする手段と、
前記読み取られた符号に関するデータが前記符号の所定のデータに一致し、および前記画像認識処理をされた記号に関するデータが前記記号の所定のデータに一致すると、送付物が本物であることを決定する手段と
を備えたことを特徴とする認証装置。
【請求項５】
前記送付物が本物であることを決定する手段は、ＡＲを使用して前記送付物が本物であることを表示する手段を含むことを特徴とする請求項４に記載の認証装置。
【請求項６】
前記読み取られた符号に関するデータが前記符号の所定のデータに一致し、および前記画像認識処理をされた記号に関するデータが前記記号の所定のデータに一致すると、送付物が本物であることを決定する前に、前記それぞれの所定のデータを含むファイルをサーバーからダウンロードする手段をさらに備えたことを特徴とする請求項４または５に記載の認証装置。
【請求項７】
カメラを有する携帯型情報端末により実行される、符号が印字された外包と記号が印字された中身とを有する送付物の認証方法であって、前記符号、前記記号および物体はそれぞれの所定のデータに関連付けられており、前記認証方法は、
外包の符号を読み取るステップと、
中身の記号に対する画像認識処理をするステップと、
前記読み取られた符号に関するデータが前記符号の所定のデータに一致し、および前記画像認識処理をされた記号に関するデータが前記記号の所定のデータに一致すると、前記物体の所定のデータに対応する物体を指定するステップと、
物体および中身の記号に対する画像認識処理をするステップと、
前記画像認識処理をされた物体および記号に関するデータが前記物体および記号のそれぞれの所定のデータに一致すると、送付物が本物であることを決定するステップと
を備えることを特徴とする認証方法。
【請求項８】
前記送付物が本物であることを決定するステップは、ＡＲを使用して前記送付物が本物であることを表示するステップを含むことを特徴とする請求項７に記載の認証方法。
【請求項９】
前記読み取られた符号に関するデータが前記符号の所定のデータに一致し、および前記画像認識処理をされた記号に関するデータが前記記号の所定のデータに一致すると、前記物体の所定のデータに対応する物体を指定する前に、前記符号、記号および物体のそれぞれの所定のデータを含むファイルをサーバーからダウンロードするステップをさらに備えることを特徴とする請求項７または８に記載の認証方法。
【請求項１０】
符号が印字された外包と記号が印字された中身とを有する送付物に対する、カメラを有する認証装置であって、前記符号、前記記号および物体はそれぞれの所定のデータに関連付けられており、前記認証装置は、
外包の符号を読み取る手段と、
中身の記号に対する画像認識処理をする手段と、
前記読み取られた符号に関するデータが前記符号の所定のデータに一致し、および前記画像認識処理をされた記号に関するデータが前記記号の所定のデータに一致すると、前記物体の所定のデータに対応する物体を指定する手段と、
物体および前記中身の記号に対する画像認識処理をする手段と、
前記画像認識処理をされた物体および記号に関するデータが前記物体および記号のそれぞれの所定のデータに一致すると、送付物が本物であることを決定する手段と
を備えたことを特徴とする認証装置。
【請求項１１】
前記送付物が本物であることを決定する手段は、ＡＲを使用して前記送付物が本物であることを表示する手段を含むことを特徴とする請求項１０に記載の認証装置。
【請求項１２】
前記読み取られた符号に関するデータが前記符号の所定のデータに一致し、および前記画像認識処理をされた記号に関するデータが前記記号の所定のデータに一致すると、前記物体の所定のデータに対応する物体を指定する前に、前記符号、記号および物体のそれぞれの所定のデータを含むファイルをサーバーからダウンロードする手段をさらに備えたことを特徴とする請求項１０または１１に記載の認証装置。
【請求項１３】
携帯型情報端末に、請求項１、２、３、７、８または９のいずれか一項に記載の認証方法の各ステップを実行させるためのプログラム。